(57)【要約】【課題】上下両ケースの両方に切断の痕跡を残して不正行為の防止化を図りながら、切断が容易でかつ切断個所での負傷を未然に防止し得る遊技機用基板ケースを提供する。【解決手段】上ケース１周縁部に上下両ケース２を結合するための複数の結合部１３を形成し、一回の結合時に少なくとも１つの結合部で締結具１４により分離不能に結合する。締結具を、第１の係合爪２１を有するピン部２２と、それを囲繞する頭部２３と、頭部とピン部とを連結する連結部とで構成し、頭部に第２の係合爪２７を形成する。各結合部を締結具の頭部が嵌合可能な底部１３ａを有する形状に形成し、各結合部に締結具の頭部が結合部内に嵌合した時第２の係合爪が係合する係止凹部３２を形成すると共に、各結合部の底部に締結具の頭部が結合部内に嵌合した時ピン部が貫通する貫通孔３３を設ける。下ケースに締結具の頭部が係合部内に嵌合した時第１の係合爪が係合する係止穴３７を設ける。【選択図】図７
2006150044.tif 000002
【特許請求の範囲】
【請求項１】
上ケースと下ケースとにより制御基板を収納する収納空間が構成されており、上記上ケースの周縁部には上ケースと下ケース又は下ケースに固定された取付プレートとを結合するための複数の結合部が形成され、一回の結合時にはその中の少なくとも１つの結合部で締結具により分離不能に結合するように構成された遊技機用基板ケースにおいて、
上記締結具は、先端に第１の係合爪を有するピン部と、このピン部の基端側の外周を囲繞する頭部と、この頭部とピン部の基端とを連結する連結部とからなり、上記頭部の外周面には第２の係合爪が形成されており、
上記各結合部は、それぞれ締結具の頭部が嵌合可能な底部を有する形状に形成されており、この各結合部の内周面には締結具の頭部が結合部内に嵌合したとき上記第２の係合爪が係合する係止凹部が形成されているとともに、各結合部の底部には締結具の頭部が結合部内に嵌合したとき上記ピン部が貫通する貫通孔が設けられており、
上記下ケース又は取付プレートには、上記締結具の頭部が結合部内に嵌合したときそのピン部先端の第１の係合爪が抜け止め状態に係合する係止穴が設けられていることを特徴とする遊技機用基板ケース。
【請求項２】
上ケースと下ケースとにより制御基板を収納する収納空間が構成されており、上記上ケースの周縁部には上ケースと下ケース又は下ケースに固定された取付プレートとを結合するための複数の結合部が形成され、一回の結合時にはその中の少なくとも１つの結合部で締結具により分離不能に結合するように構成された遊技機用基板ケースにおいて、
上記締結具は、先端に第１の係合爪を有するピン部と、このピン部の基端側の外周を囲繞する頭部と、この頭部とピン部の基端とを連結する連結部とからなり、
上記各結合部は、それぞれ締結具の頭部が嵌合可能な底部を有する形状に形成されており、この各結合部の底部には締結具の頭部が結合部内に嵌合したとき上記ピン部が貫通する貫通孔が設けられており、
上記下ケース又は取付プレートには、上記締結具の頭部が結合部内に嵌合したときそのピン部先端の第１の係合爪が抜け止め状態に係合する係止穴が設けられていることを特徴とする遊技機用基板ケース。
【請求項３】
上記締結具の頭部の外周面には第２の係合爪と円周方向に異なる位置でかつ軸方向に第２の係合爪よりも先端寄りの位置に第３の係合爪が形成されている一方、上記各結合部の内周面には、締結具の頭部が結合部内に浅く嵌合する仮止め状態のとき上記第３の係合爪が係合する係止凹部が形成されている請求項１記載の遊技機用基板ケース。
【請求項４】
上記上ケースの内面には、上ケースと下ケース又は取付プレートとの結合に使用可能な上記締結具の頭部を挟持して締結具を保持する保持部が形成されている請求項１ないし請求項３のいずれか一つに記載の遊技機用基板ケース。
【請求項５】
上記締結具は、非導電性の合成樹脂からなる請求項１ないし請求項４のいずれか一つに記載の遊技機用基板ケース。
【請求項６】
上記上ケースには制御基板に実装されたコネクタに対応して開口部が形成されており、上記制御基板と上ケースとの間にはコネクタの周囲を上ケースの開口部周縁に沿って囲繞するコネクタスペーサが配置されている請求項１ないし請求項５のいずれか一つに記載の遊技機用基板ケース。
【請求項７】
上記第１の係合爪は、係止穴の周縁部に係合する係合面がピン部の外周面と鋭角で交差するように形成されており、上記係止穴の周縁部にはこの係合面に対応して傾斜する係止面が形成されている請求項１ないし請求項６のいずれか一つに記載の遊技機用基板ケース。
【請求項８】
上記第１の係合爪は、係止穴の周縁部に係合する係合面に凹部を有してなり、上記係止穴の周縁部にはこの凹部に対応する凸部が形成されている請求項１ないし請求項７のいずれか一つに記載の遊技機用基板ケース。
【請求項９】
上記連結部は、一部に脆弱部を有しており、この脆弱部は、締結具の頭部が結合部内に嵌合して第１の係合爪が係止穴に抜け止め状態に係合したまま上ケースと下ケースとを引き離そうとすると第１の係合爪が係止穴から抜け出るよりも先に破断するように設定されている請求項７又は８記載の遊技機用基板ケース。
【発明の詳細な説明】
【技術分野】
【０００１】
本発明は、パチンコ機やスロットマシンなどの遊技機に装備される制御基板を収納する遊技機用基板ケースに関する。
【背景技術】
【０００２】
近年、パチンコ機やスロットマシンなどの遊技機においては、上ケースと下ケースとで開閉自在に構成された基板ケース内に、ＲＯＭやコネクタなどの電子部品を実装した制御基板を収納し、この基板ケースを遊技機の所定個所に直接又は下ケースに固定した取付プレートを介して取り付け、制御基板側のＲＯＭなどの電子部品により遊技動作を制御する電子制御方式が採用されている。この種の遊技機では、制御基板に実装されたＲＯＭなどの電子部品を不正に交換できないようにすると同時に、監督官庁による検査や修理などのときに基板ケースを開けて容易に検査などを行い得るようにしておく必要がある。
【０００３】
そのための対応策として、また従来の封印方式に代わるものとして、例えば特許文献１に開示されるように、基板ケースの上ケースの周縁部に上ケースと下ケースとを結合するための複数の結合部を外方に突出して形成し、一回の結合時にはその中の少なくとも１つの結合部でワンウエイねじ、リベット又はピンなどの締結具により分離不能に結合し、その結合後に開封するときには結合した結合部を上ケースの本体側からニッパなどで切断するようにしたものが知られている。この対応策では、結合後に開封したときには上ケースに結合部と切断した痕跡が残るとともに、下ケースにも上ケースから切断された結合部が締結具により結合されたまま残るため、ＲＯＭなどの不正交換を防止する上で有効であるという利点がある。尚、特許文献１に開示のものでは、詳しくは上ケースを上蓋部分と側壁部分とに分離し、この上蓋部分の周縁部に複数の結合部を形成している。
【特許文献１】特許第２８９５８２９号公報
【発明の開示】
【発明が解決しようとする課題】
【０００４】
ところが、上記従来の対応策では、結合部を上ケースの本体側から切断する個所は、結合部を支持する機能をも有していることから、ある程度の強度に設定する必要がある。このため、この個所を切断することは容易ではなく、その分手間がかかるという問題がある。また、切断個所が上ケースの周縁部から突出しているため、上ケースと下ケースとを再度結合するときなどにこの切断個所に作業者の手などが引っ掛かって負傷する虞もある。
【０００５】
本発明はかかる点に鑑みてなされたものであり、その課題とするところは、締結具及び上ケースの結合部などを改良し、締結具の一部のみを切断することにより、上ケース及び下ケースの両方に切断の痕跡を残して不正行為の防止化を図りながら、切断を容易に行うことができ、かつ切断個所での負傷を未然に防止し得る遊技機用基板ケースを提供せんとするものである。
【課題を解決するための手段】
【０００６】
上記の課題を解決するため、請求項１に係る発明は、遊技機用基板ケースとして、上ケースと下ケースとにより制御基板を収納する収納空間が構成されており、上記上ケースの周縁部には上ケースと下ケース又は下ケースに固定された取付プレートとを結合するための複数の結合部が形成され、一回の結合時にはその中の少なくとも１つの結合部で締結具により分離不能に結合するように構成されていることを前提とする。そして、上記締結具を、先端に第１の係合爪を有するピン部と、このピン部の基端側の外周を囲繞する頭部と、この頭部とピン部の基端とを連結する連結部とにより構成し、かつ上記頭部の外周面に第２の係合爪を形成する。また、上記各結合部を、それぞれ締結具の頭部が嵌合可能な底部を有する形状に形成し、この各結合部の内周面に、締結具の頭部が結合部内に嵌合したとき上記第２の係合爪が係合する係止凹部を形成するとともに、各結合部の底部に、締結具の頭部が結合部内に嵌合したとき上記ピン部が貫通する貫通孔を設ける。更に、上記下ケース又は取付プレートに、上記締結具の頭部が結合部内に嵌合したときそのピン部先端の第１の係合爪が抜け止め状態に係合する係止穴を設ける構成にする。
【０００７】
この構成では、上ケースと下ケース又は下ケースに固定された取付プレートとを上ケースの結合部で締結具により結合するときには、締結具のピン部の先端側つまり第１の係合爪側を前側にして締結具の頭部を所定の結合部内に押し込んで嵌合させる。すると、締結具のピン部先端の第１の係合爪が下ケース又は取付プレートに設けた係止穴に抜け止め状態に係合するとともに、締結具の頭部の第２の係合爪が結合部内周面の係止凹部に係合することにより、上ケースと下ケース又は取付プレート（以下、下ケース側という）とが締結具により分離不能に結合される。
【０００８】
一方、この結合状態から検査などのために上ケースを開けるときには、締結具の頭部とピン部の基端とを連結する連結部をニッパなどにより切断し、締結具による上ケースと下ケース側との結合を解除することにより、上ケースを開けることができる。この場合、締結具のピン部は、その第１の係合爪が下ケース又は取付プレートの係止穴に抜け止め状態に係合して下ケース側に残る一方、締結具の頭部は、その第２の係合爪が上ケースの結合部の係止凹部に係合して結合部内に嵌合した状態のまま残るため、不正行為の防止化が有効に図られる。その上、締結具の切断個所は、ピン部の基端と頭部とを連結する連結部であるため、その切断を容易にかつ迅速を行うことができる。また、その切断個所は、上ケース側では結合部内に嵌合したまま残る頭部の内側にあるため、この上ケースと下ケースとを再度結合するときなどにこの切断個所に作業者の手などが引っ掛かって負傷することはない。ここで、上記連結部としては、ニッパなどの工具により容易に切断可能な大きさにすることが好ましく、また、ドライバ工具の先端などを突き当てて折損させることができる程度の脆弱性を備えてもよい。
【０００９】
請求項２に係る発明は、請求項１に係る発明と同じ前提の遊技機用基板ケースにおいて、締結具を、先端に第１の係合爪を有するピン部と、このピン部の基端側の外周を囲繞する頭部と、この頭部とピン部の基端とを連結する連結部とにより構成する。また、各結合部を、それぞれ締結具の頭部が嵌合可能な底部を有する形状に形成し、この各結合部の底部に、締結具の頭部が結合部内に嵌合したとき上記ピン部が貫通する貫通孔を設け、更に、下ケース又は取付プレートに、上記締結具の頭部が結合部内に嵌合したときそのピン部先端の第１の係合爪が抜け止め状態に係合する係止穴を設ける構成にする。
【００１０】
この構成では、締結具の頭部を結合部内に押し込んで嵌合させたときには、締結具のピン部先端の第１の係合爪が下ケース又は取付プレートの係止穴に抜け止め状態に係合することにより、上ケースと下ケース側とが締結具により分離不能に結合される。また、この結合を締結具の連結部の切断により解除して上ケースを開けた場合、上ケースを逆さまにしない限り、締結具の頭部は、上ケースの結合部内に嵌合したまま残り、締結具のピン部が下ケース側に残ることと相俟って、不正行為の防止化を有効に図ることができる。
【００１１】
請求項３に係る発明は、請求項１記載の遊技機用基板ケースにおいて、上ケースと下ケース側との結合に使用可能で直ぐには使用しない締結具を保管するための好ましい形態を提供するものである。すなわち、上記締結具の頭部の外周面の、第２の係合爪と円周方向に異なる位置でかつ軸方向に第２の係合爪よりも先端寄りの位置に第３の係合爪を形成する一方、上記各結合部の内周面に、締結具の頭部が結合部内に浅く嵌合する仮止め状態のとき上記第３の係合爪が係合する係止凹部を形成する構成にする。
【００１２】
この構成では、不使用の締結具の頭部を結合部内に浅く嵌合させ、その外周面の第３の係合爪を結合部内周面の係止凹部に係合させることにより、不使用の締結具を結合部に仮止め状態に保持させて保管することができる。しかも、この仮止め状態から締結具を上ケースと下ケース側との結合に使用するときには、締結具の頭部をそのまま結合部内に押し込んで深く嵌合させるだけで足りる。
【００１３】
請求項４に係る発明は、不使用の締結具を保管するための別の形態を提供するものである。すなわち、上記上ケースの内面に、上ケースと下ケース又は取付プレートとの結合に使用可能な上記締結具の頭部を挟持して締結具を保持する保持部を形成する構成にする。
【００１４】
請求項５に係る発明は、請求項１ないし請求項４のいずれか一つに記載の遊技機用基板ケースにおいて、上記締結具を、非導電性の合成樹脂により構成する。この構成では、締結具が複雑な形状でもその成形を容易に行うことができる上、仮に締結具又はそれから切断分離したピン部などを誤って基板ケース内の制御基板上に落としたまま放置した場合でも漏電などが発生することはない。
【００１５】
請求項６に係る発明は、請求項１ないし請求項５のいずれか一つに記載の遊技機用基板ケースにおいて、上記上ケースに、制御基板に実装されたコネクタに対応して開口部を形成する一方、上記制御基板と上ケースとの間に、コネクタの周囲を上ケースの開口部周縁に沿って囲繞するコネクタスペーサを配置する構成にする。この構成では、上ケースの開口部とその開口部から外部にまで延出する制御基板側のコネクタとの間に隙間がある場合でも制御基板と上ケースとの間に配置したコネクタスペーサによりコネクタの周囲が囲繞されているため、上記隙間から制御基板に対する不正行為を防止できることになる。
【００１６】
請求項７及び８に係る発明は、いずれも締結具により上ケースと下ケース側とを結合するときの結合力、詳しくは締結具のピン部先端の第１の係合爪が下ケース又は取付プレートの係止穴に抜け止め状態に係合するときの係合力を高めるための手段を提供するものである。すなわち、請求項７に係る発明は、上記第１の係合爪を、係止穴の周縁部に係合する係合面がピン部の外周面と鋭角で交差するように形成する一方、上記係止穴の周縁部に、この係合面に対応して傾斜する係止面を形成する構成にする。また、請求項８に係る発明は、上記第１の係合爪を、係止穴の周縁部に係合する係合面に凹部を有する構成にする一方、上記係止穴の周縁部に、この凹部に対応する凸部を形成する構成にする。
【００１７】
請求項９に係る発明は、請求項７又は８記載の遊技機用基板ケースにおいて、上記連結部を、一部に脆弱部を有する構成にし、かつこの脆弱部を、締結具の頭部が結合部内に嵌合して第１の係合爪が係止穴に抜け止め状態に係合したまま上ケースと下ケースとを引き離そうとしたとき第１の係合爪が係止穴から抜け出るよりも先に破断するように設定する構成にする。この構成では、締結具により上ケースと下ケース側とを結合した後その結合を不正に解除すべく上ケースと下ケースとを引き離そうとしたときには、そのピン部先端の第１の係合爪が下ケース側の係止穴から抜け出るよりも先に連結部の脆弱部が破断し、連結部をニッパなどで切断した場合と同様に開封の痕跡が残るため、不正行為の防止化がより確実に図られる。
【発明の効果】
【００１８】
以上のように、本発明の遊技機用基板ケースによれば、上ケースの結合部で締結具により上ケースと下ケース側とを結合した後この締結具の頭部とピン部とを連結する連結部を切断すると上ケースの結合部に頭部が、下ケース側にピン部が切断の痕跡として残るため、不正行為の防止化を有効に図ることができる。その上、締結具の切断個所は、頭部内側の連結部であるため、その切断を容易にかつ迅速に行うことができるとともに、上ケースと下ケース側との再度の結合時などに切断個所に作業者の手などが引っ掛かって負傷するのを未然に防止することができる。
【００１９】
特に、請求項３に係る発明では、不使用の締結具の頭部を結合部に仮止め状態に保持させて保管することができ、しかも、この仮止め状態から締結具を上ケースと下ケース側との結合に使用するときには、締結具の頭部をそのまま結合部内に押し込んで深く嵌合させるだけで足りるので、使い勝手性を高めることができる。
【００２０】
請求項４に係る発明では、不使用の締結具を、上ケース内の保持部に保持させて保管することができるので、管理の容易化と誤使用の防止化を共に図ることができる。
【００２１】
請求項５に係る発明では、複雑な形状の締結具の成形を容易に行うことができる上、仮に締結具又はそれから切断分離したピン部などを誤って基板ケース内の制御基板上に落としたまま放置した場合でも漏電などの発生を防止することができ、実用化を図る上で有効なものである。
【００２２】
請求項６に係る発明では、上ケースの開口部とその開口部から外部にまで延出する制御基板側のコネクタとの間に隙間がある場合でも制御基板と上ケースとの間に配置したコネクタスペーサによりコネクタの周囲が囲繞されているため、上記隙間から制御基板に対する不正行為を防止できるという効果を併有する。
【００２３】
請求項７又は８に係る発明では、締結具のピン部先端の第１の係合爪が下ケース又は取付プレートの係止穴に抜け止め状態に係合するときの係合力を高めることができるので、不正行為の防止化を確実に図ることができる。
【００２４】
さらに、請求項９に係る発明では、締結具により上ケースと下ケース側とを結合した後その結合を不正に解除すべく上ケースと下ケースとを引き離そうとしたときには、締結具のピン部先端の第１の係合爪が下ケース側の係止穴から抜け出るよりも先に連結部の脆弱部が破断し、連結部をニッパなどで切断した場合と同様に開封の痕跡が残るため、不正行為の防止化をより確実に図ることができる。
【発明を実施するための最良の形態】
【００２５】
以下、本発明を実施するための最良の形態である実施形態を図面に基づいて説明する。
【００２６】
図１及び図２は本発明の第１の実施形態に係る遊技機用基板ケースＡを示す。この基板ケースＡは、上ケース１と下ケース２とにより収容空間としての矩形箱型のケース本体３を構成し、このケース本体３内に、ＲＯＭ（図示せず）やコネクタ４などの電子部品を実装した制御基板５を収容するものである。また、基板ケースＡは、下ケース２の下面に固定した取付プレート６を介して遊技機の所定個所（例えばスロットマシンの場合筐体の内壁面など）に取り付けられる。
【００２７】
上記上ケース１及び下ケース２は、共に透明又は半透明なアクリル樹脂などの非導電性の合成樹脂からなり、下ケース２の互いに対向する２つの短辺のうち、一方の短辺には外方に延出する係合突起部１１が形成され、この係合突起部１１は、取付プレート６の対応する個所に設けたスリット１２内に挿通されるとともに、上ケース１の対応する短辺に設けたスリット（図示せず）内に挿通されて、係合突起部１１をヒンジ点として上ケース１が下ケース２に対し開閉されるようになっている。また、上ケース１の開閉ヒンジ点と反対側の短辺には下ケース２又は取付プレート６と結合するための６つの結合部１３，１３，…が短辺に沿って横並びでかつ各々外方に突出して形成されている。そして、一回の結合時にはその中の少なくとも１つの結合部１３で締結具１４により上ケース１と下ケース２とが分離不能に結合される。
【００２８】
上記締結具１４は、上ケース１及び下ケース２と同じくアクリル樹脂などの非導電性の合成樹脂からなるもので、図３に拡大詳示するように、先端に第１の係合爪２１を有するピン部２２と、このピン部２２の基端側の外周を囲繞する円筒状の頭部２３と、この頭部２３とピン部２２の基端とをピン部２２の軸線を挟む２個所でそれぞれ連結する連結部２４，２４とを備えてなる。第１の係合爪２１は、ピン部２２の先端に形成した逆Ｕ字状の溝２５を挟んだ両側の部位に形成されていて、下ケース２又は取付プレート６の後述する係止穴３７，４２に挿入される時弾性変形して挿入され易くなっている。ピン部２２の基端には連結部２４，２４同士の間でそれぞれ側方に突出する円弧状の２つの鍔部２６，２６が形成されている。頭部２３の外周面には、その軸線方向の中央部でかつ軸線を挟む２個所にそれぞれ第２の係合爪２７が形成されているとともに、軸線方向の先端側でかつ円周方向に位相が各第２の係合爪２７と９０度異なる２個所にそれぞれ第３の係合爪２８が形成されている。各第２の係合爪２７は、その周囲の三方つまり左右両側と先端側とに形成したコ字形の切り欠き溝２９により弾性変形可能になっており、また各第３の係合爪２８も、その左右両側に形成した切り欠き溝３０，３０により弾性変形可能になっている。各連結部２４は、全長に亘って狭小で脆弱に形成されており、特に、頭部２２寄りの部位に幅寸法が他の部位よりも小さい脆弱部２４ａを有している。
【００２９】
一方、上記各結合部１３は、図４及び図５に詳示するように、それぞれ締結具１４の頭部２３が嵌合可能な底部１３ａを有する円筒状に形成されており、その深さは締結具１４の頭部２３の軸線方向の長さ寸法と略同一に設定されている。この各結合部１３の内周面には、開口寄りの軸線を挟む２個所にそれぞれ、図４及び図５に示す如く締結具１４の頭部２３が結合部１３内に浅く嵌合する仮止め状態のとき上記各第３の係合爪２８が係合する仮止め用の係止凹部３１が形成されているとともに、深さ方向の中央部でかつ円周方向に位相が各仮止め用の係止凹部３１と９０度異なる２個所にそれぞれ、図６（ａ）及び図７（ａ）に示す如く締結具１４の頭部２３が結合部１３内に嵌合した結合状態のとき上記各第２の係合爪２７が係合する結合用の係止凹部３２が形成されている。また、各結合部１３の底部１３ａには、上記結合状態のとき締結具１４のピン部２２が貫通する貫通孔３３が設けられている。
【００３０】
上記下ケース２及び取付プレート６には、上ケース１の結合部１３に対応して、それぞれ締結受け部３５又は３６が設けられている。下ケース２の締結受け部３５は、上ケース１の結合部１３の場合と同様に下ケース２の短辺から外方に突出して形成されており、この締結受け部３５には、上ケース１の６つの結合部１３，１３，…のうち、両端の２つの結合部１３，１３にそれぞれ対応して、図７（ａ）に示す如く締結具１４の頭部２３が結合部１３内に嵌合したときそのピン部２２先端の第１の係合爪２１が抜け止め状態に係合する係止穴３７及びこの係止穴３７の周囲を支持する有底円筒状の支持部３８が設けられているとともに、中央の４つの結合部１３，１３，…にそれぞれ対応して略正方形の開口部３９が設けられている。また、取付プレート６の締結受け部３６は、取付プレート６上に取り付けた台座形のもので、取付プレート６を下ケース２の下面に固定するとき下ケース２の締結受け部３５の２つの支持部３８，３８間に挟まれるようになっている。この締結受け部３６には、下ケース２の締結受け部３５の各開口部３９にそれぞれ対応して、図６（ａ）に示す如く締結受け部３５、３６同士を重ね合わせたとき開口部３９を通して下ケース２の締結受け部３５の上面と略面一状態に臨む略正方形状の膨出部４１が形成されているとともに、この膨出部４１の中心に、締結具１４の頭部２３が結合部１３内に嵌合したときそのピン部２２先端の第１の係合爪２１が抜け止め状態に係合する係止穴４２が設けられている。
【００３１】
さらに、上記上ケース１は、その長手方向の両端部分が中央部よりも一段低く形成されており、この上ケース１の長手方向両端部分には制御基板５に実装されたコネクタ４に対応して複数（図では４つ）の開口部５１，５２，５３，５４が設けられている。そのうちの１つの開口部５１は、図８に示すように、制御基板５側のコネクタ４と接続する接続ケーブル５５のコネクタ５６が可動式の結合爪５７を有することから、コネクタ５６との間にある程度の隙間を隔てるように形成されている。この開口部５１に対応して、制御基板５と上ケース１との間には制御基板５側のコネクタ４の周囲を上ケース１の開口部５１周縁に沿って囲繞するコネクタスペーサ５８が配置されている。このコネクタスペーサ５８は、アクリル樹脂などの非導電性の合成樹脂からなるもので、図９及び図１０に拡大詳示するように、平面形状が略凸字状に形成されており、コネクタスペース５８の一端には上ケース１の開口部５１周縁に当接するフランジ部５８ａが形成されている。
【００３２】
尚、他の開口部５２〜５４においては、例えば開口部５２の場合図１１及び図１２に示すように、開口部５２の周縁部を制御基板５寄りに近接させるための凹部６１が形成されている一方、制御基板５に実装されるコネクタ６２の周縁部に側方に突出するひさし部６３が形成され、このひさし部６３上に上記凹部６１の底部である開口部５２の周縁部が当接して上ケース１と下ケース２とが閉じられ、これにより、コネクタ６２と上ケース１の開口部５２との間に隙間が生じないようになっている。
【００３３】
次に、上記遊技機用基板ケースＡの使用方法について説明するに、今、図１に示すように、基板ケースＡの上ケース１と下ケース２とがそのケース本体３内に制御基板５を収納した状態で重ね合わせて閉じられているとともに、下ケース２の下面に取付プレート６が固定されている。また、上ケース１の各結合部１３内にそれぞれ締結具１４の頭部２３が浅く嵌合され、その外周面の２つの第３の係合爪２８，２８がそれぞれ結合部１３内周面の仮止め用係止凹部３１，３１に係合することにより、締結具１４が結合部１３に仮止め状態に保持されている。この仮止め状態では、仮に基板ケースＡを上下逆にしても締結具１４が結合部１３から外れることはなく、その保管を容易にかつ確実に行うことができる。
【００３４】
そして、このような状態から、例えば図１で上ケース１の手前側から１番目の結合部１３と５番目の結合部１３とでそれぞれ、仮止め状態の締結具１４の頭部２３をそのまま結合部１３内に押し込んで頭部２３が結合部１３の底部１３ａに接触するまで深く嵌合させる。すると、上ケース１の手前側から５番目の結合部１３では、図６（ａ）に示すように、締結具１４のピン部２２先端の第１の係合爪２１が取付プレート６の締結受け部３６の係止穴４２に抜け止め状態に係合するとともに、締結具１４の頭部２３の２つの第２の係合爪２７，２７がそれぞれ結合部１３内周面の結合用係止凹部３２，３２に係合することにより、上ケース１の結合部１３と取付プレート６の締結受け部３６とが締結具１４により下ケース２の締結受け部３５を挟んだ状態で分離不能に結合される。また、上ケース１の手前側から１番目の結合部１３では、図７（ａ）に示すように、締結具１４のピン部２２先端の第１の係合爪２１が下ケース２の締結受け部３５の係止穴３７に抜け止め状態に係合するとともに、締結具１４の頭部２３の２つの第２の係合爪２７，２７がそれぞれ結合部１３内周面の結合用係止凹部３２，３２に係合することにより、上ケース１の結合部１３と下ケース２の締結受け部３５とが締結具１４により分離不能に結合される。
【００３５】
このように、本実施形態の場合、上ケース１と下ケース２側との結合操作が、上ケース１の結合部１３に仮止め状態に保持された締結具１４の頭部２３をそのまま結合部１３内に押し込むだけで足りるので、使い勝手性を高めることができる。
【００３６】
また、基板ケースＡの上ケース１と下ケース２とをケース本体３内に制御基板３を収納した状態で閉じて結合した場合、図８に示すように、制御基板３上のコネクタ４とこれに対応した上ケース１の開口部５１との間にある程度の隙間が生じるが、制御基板５と上ケース１との間に配置したコネクタスペーサ５８により制御基板５側のコネクタ４の周囲が上ケース１の開口部５１周縁に沿って囲繞されているため、上記隙間を通して制御基板５側のＲＯＭなどに対する不正行為を防止することができる。
【００３７】
一方、基板ケースＡの結合状態から検査などのために上ケース１を開けるときには、結合に使用した各締結具１４において、それぞれ頭部２３とピン部２２の基端とを連結する２つの連結部２４，２４の各脆弱部２４ａを共にニッパなどにより切断することにより、上ケース１を開けることができる。この場合、図６（ｂ）及び図７（ｂ）に示すように、各締結具１４のピン部２２は、それぞれ第１の係合爪２１が下ケース２又は取付プレート６の係止穴３７，４２に抜け止め状態に係合して下ケース２側に残る一方、各締結具１４の頭部２３は、それぞれ第２の係合爪２７が上ケース１の結合部１３の結合用係止凹部３２に係合して結合部１３内に嵌合した状態のまま残るため、基板ケースＡの開放を容易に判断することができ、不正行為の防止化を有効に図ることができる。尚、下ケース２側に残る各締結具１４のピン部２２は、その基端の鍔部２６，２６が下ケース２又は取付プレート６の係止穴３７，４２に係合するため、その係止穴３７，４２の位置から抜け落ちることもない。
【００３８】
その上、上記各締結具１４の切断個所は、ピン部２２の基端と頭部２３とを連結する連結部２４の特に脆弱な脆弱部２４ａであるため、その切断を容易にかつ迅速を行うことができる。また、その切断個所は、上ケース１の結合部１３内に嵌合したまま残る頭部２３の内側にあるため、この上ケース１と下ケース２側とを再度結合するときなどにこの切断個所に作業者の手などが引っ掛かって負傷することもない。
【００３９】
さらに、上記各締結具１４は、非導電性の合成樹脂からなるため、各締結具１４が複雑な形状でもその成形を容易に行うことができる上、仮に締結具１４又はそれから切断分離したピン部２２などを誤ってケース本体３内の制御基板５上に落としたまま放置した場合でも漏電などが発生することはなく、その予防化を図ることができる。
【００４０】
図１３は本発明の第２の実施形態に係る遊技機用基板ケースの結合構造を示す。基板ケースは、その全体を図示していないが、第１の実施形態の場合と同様に、上ケース１０１と下ケース１０２とからなり、下ケース１０１には取付プレート１０３が固定されている。上ケース１０１の周縁部には上ケース１０１と下ケース１０２とを結合するための複数の結合部１０４が形成され、一回の結合時にはその中の少なくとも１つの結合部１０４で締結具１０５により分離不能に結合されるようになっている。
【００４１】
上記締結具１０５は、アクリル樹脂などの非導電性の合成樹脂からなるもので、図１４にも示すように、先端から中央部にまで延びる切り欠き溝１１１を有する二股状のピン部１１２と、このピン部１１２の基端側の外周を囲繞する円筒状の頭部１１３と、この頭部１１３とピン部１１２の基端とをピン部１１２の軸線を挟む２個所でそれぞれ連結する連結部１１４，１１４とを備えてなる。ピン部１１２の先端部には切り欠き溝１１１を挟んだ両側に外向きに突出する一対の第１の係合爪１１５，１１５が形成されており、この各第１の係合爪１１５は、図１５に拡大詳示するように、後述する係止穴１２６の裏側周縁部に係合する係合面１１５ａがピン部１１２の外周面と鋭角θで交差するように形成されている。頭部１１３の外周面には、その軸線方向の中央部でかつ軸線を挟む２個所にそれぞれ第２の係合爪１１７が形成されているとともに、軸線方向の先端側でかつ円周方向に位相が各第２の係合爪１１７と９０度異なる２個所にそれぞれ第３の係合爪１１８が形成されており、この各第３の係合爪１１８は、その左右両側に形成した切り欠き溝１１９，１１９により弾性変形可能になっている。各連結部１１４は、全長に亘って狭小で脆弱に形成されており、特に、頭部１１３寄りの部位に幅寸法が他の部位よりも小さい脆弱部１１４ａを有している。
【００４２】
一方、上記結合部１０４は、締結具１０５の頭部１１３が嵌合可能な底部１０４ａを有する円筒状に形成されており、その深さ寸法は締結具１０５の頭部１１３の軸線方向の長さ寸法よりも大きく設定されている。この結合部１０４の内周面には軸線を挟む２個所にそれぞれ締結具１０５の頭部１１３が結合部１０４内にその底部１０４ａに接触する位置にまで深く嵌合する結合状態のとき上記各第２の係合爪１１７が係合する結合用の係止凹部１２１が形成されているとともに、円周方向に位相が各結合用の係止凹部１２１と９０度異なる２個所にそれぞれ締結具１０５の頭部１１３が結合部１０４内に浅く嵌合する仮止め状態のとき上記各第３の係合爪１１８が係合する仮止め用の係止凹部（図示せず）が形成されている。また、結合部１０４の底部１０４ａには、上記結合状態のとき締結具１０５のピン部１１２が貫通する貫通孔１２２が設けられている。
【００４３】
また、上記下ケース１０２には、上ケース１０１の結合部１０４に対応して、締結受け部１２５が形成されている。この締結受け部１２５には、締結具１０５の頭部１１３が結合部１０４内に深く嵌合する結合状態のときそのピン部１１２先端の第１の係合爪１１５が抜け止め状態に係合する係止穴１２６が設けられているとともに、この係止穴１２６の裏側周縁部に上記第１の係合爪１１５の係合面１１５ａに対応して傾斜する円錐面状の係止面１２７が形成されている。
【００４４】
そして、上記第２の実施形態においては、締結具１０５の頭部１１３が上ケース１０１の結合部１０４内にその底部１０４ａに接触する位置にまで深く嵌合したときには、締結具１０５のピン部１１２先端の第１の係合爪１１５，１１５が下ケース１０２の締結受け部１２５の係止穴１２６に抜け止め状態に係合するとともに、締結具１０５の頭部１１３の２つの第２の係合爪１１７，１１７がそれぞれ結合部１０４内周面の結合用係止凹部１２１，１２１に結合することにより、上ケース１０１の結合部１０４と下ケース１０２の締結受け部１２５とが締結具１０５により分離不能に結合される。
【００４５】
しかも、この結合状態では、上記各第１の係合爪１１５は、その係合面１１５ａがピン部１１２の外周面と鋭角θで交差するように形成されている一方、上記係止穴１２６の裏側周縁部にこの係合面１１５ａに対応して傾斜する係止面１２７が形成されているため、この第１の係合爪１１５と係止穴１２６の周縁部との間の係合力ひいては締結具１０５による結合力を高めることができ、不正行為の防止化を確実に図ることができる。特に、この結合状態で上ケース１０１の結合部１０４と下ケース１０２の締結受け部１２５との間を強引に引き離そうとしたとき第１の係合爪１１５が係止穴１２６から抜け出るよりも先に締結具１０５の各連結部１１４の脆弱部１１４ａが破断するように設定している場合には、仮に上下両ケース１０１，１０２間を強引に引き離したとしても締結具１０５の各連結部１１４をニッパなどで切断した場合と同様に開封の痕跡が残るため、不正行為の防止化をより確実に図ることができる。
【００４６】
尚、締結具１０５及び上ケース１０１の結合部１０４などの構成は、第１の実施形態の場合のそれと同じであるため、第１の実施形態の作用・効果のうち、これらの構成に起因するものについても同様に発揮できるのは勿論である。
【００４７】
図１６及び図１７はそれぞれ本発明の第３及び第４の実施形態に係る遊技機用基板ケースの結合構造を示す。この両実施形態は、共に第２の実施形態の場合と同様に、締結具１０５による上ケース１０１と下ケース１０２の結合力を高めるようにしたものである。
【００４８】
すなわち、第３の実施形態の場合、締結具１０５のピン部１１２の先端部に形成された一対の第１の係合爪１１５，１１５は、それぞれその係合面１１５ａに凹部１３１を有している。一方、下ケース１０２の締結受け部１２５の係止穴１２６の裏側周縁部には、上記凹部１３１に対応して一対の凸部１３２、１３２が形成されている。
【００４９】
また、第４の実施形態の場合、締結具１０５のピン部１１２の先端部に形成された一対の第１の係合爪１１５，１１５は、第２の実施形態の場合と同じく、それぞれその係合面１１５ａがピン部１１２の外周面と鋭角で交差するように形成されており、かつその係合面１１５ａの基端側に凹部１４１を有している。一方、下ケース１０２の締結受け部１２５の係止穴１２６の裏側周縁部には、上記第１の係合爪１１５の係合面１１５ａに対応して傾斜する円錐面状の係止面１４２が形成されているとともに、上記凹部１４１に対応して一対の凸部１４３，１４３が形成されている。尚、第３及び第４の実施形態のその他の構成は、第２の実施形態の場合と同じであり、同一部材には同一符号を付してその説明は省略する。
【００５０】
そして、上記第３及び第４の実施形態においては、共に第２の実施形態の場合と同様に、締結具１０５による上ケース１０１と下ケース１０２の結合力を高めることができるので、不正行為の防止化を確実に図ることができる。特に、第４の実施形態においては、締結具１０５の第１の係合爪１１５と下ケース１０２の締結受け部１２５の係止穴１２６の裏側周縁部とが係合するときの接触面積を大きくすることができるので、締結具１０５による結合力を高める上で効果的なものである。
【００５１】
尚、本発明は上記第１ないし第４の実施形態に限定されるものではなく、その他種々の実施形態を包含するものである。例えば上記第１の実施形態では、上ケース１と下ケース２側との結合に使用しない締結具１４をも上ケース１の各結合部１３に仮止め状態に保持させるように構成したが、この場合、結合に使用しない締結具１４を誤って結合部１３内に押し込んで結合する虞がある。そこで、本発明は、例えば図１８及び図１９に示すように、上ケース１の側壁部１ａに内方に延出するＣ字型の保持部１５１を形成し、この保持部１５１に不使用の締結具１４の頭部２３を挟持させるようにしてもよい。この場合でも上ケース１と下ケース２とを結合する際に直ちに保持部１５１から締結具１４を外して使用することができ、締結具１４の保管上で便利である。
【００５２】
また、上記各実施形態では、いずれも締結具１４，１０５のピン部２２，１１２の先端部に外向きに突出する第１の係合爪２１，１１５を形成したが、本発明は、例えば図２０及び図２１に示すように、締結具１０６の二股状のピン部１１２の先端部に切り欠き溝１１１に面して内向きに突出する一対の第１の係合爪１６１，１６１を設ける一方、下ケース１０２又は取付プレートにこの両係合爪１６１，１６１が抜け止め状態に係合する円弧状の一対の係止穴１６２，１６２を設けるようにしてもよい。また、第１の係合爪１６１は内向きにのみ突出しているが、図２０に破線で示すように各係合爪１６１がそれぞれの係止穴１６２に対し外向きにも内向きにも係合する鏃形状にしてもよい。
【００５３】
さらに、上記各実施形態では、締結具１４，１０５の頭部２３，１１３の形状として、円筒状に形成したが、本発明は、円筒状に限らず、四角や三角などの枠状に形成してもよく、側面に一部切り欠きのある形態でもよい。要は、締結具１４，１０５のピン部２２，１１２の基端側の外周を頭部２３，１１３により囲繞すればよいのである。その中で、特に、頭部を多角形の枠状に形成し、また係止穴をも同様の多角形状にし、挿入状態における頭部の回動を規制して捩りにくくすれば締結具の抜き取りがより困難になる。また、ピン部２２，１１２に形成する第１の係合爪２１，１１５及び頭部２３，１１３に形成する第２の係合爪２７，１１７は、上記各実施形態の如き個数及び形状に限らないのは勿論である。特に、第２の係合爪２７，１１７は場合よっては省略してもよい。
【００５４】
加えて、上記第１の実施形態では、下ケース２と共に矩形箱型のケース本体３を構成する上ケース１の４辺のうちの１つの短辺に複数の結合部１３，１３，…を形成した場合について述べたが、本発明は、これに限らず、上ケース１の４辺のうち、互いに対向する２つの短辺又は１つの長辺をも含む３辺にそれぞれ複数ずつの結合部を形成する場合、取付プレート６を省略し上ケース１と下ケース２とのみからなる場合、上ケース１が特許文献１に開示するものの如く上蓋部分と側壁部分とに分離されてなる場合などにも同様に適用することができる。
【図面の簡単な説明】
【００５５】
【図１】本発明の第１の実施形態に係る遊技機用基板ケースの閉じ状態の斜視図である。
【図２】上記基板ケースの分解斜視図である。
【図３】締結具を示し、（ａ）は平面図、（ｂ）は正面図、（ｃ）は斜視図である。
【図４】図１のＭ部分の拡大図である。
【図５】図４のＸ−Ｘ線における断面図である。
【図６】（ａ）は図４のＹ−Ｙ線における上下ケースの結合状態を示す断面図、（ｂ）は上下ケースの分離状態を示す断面図である。
【図７】（ａ）は図１のＺ−Ｚ線における上下ケースの結合状態を示す断面図、（ｂ）は上下ケースの分離状態を示す断面図である。
【図８】図１のＮ−Ｎ線における拡大断面図である。
【図９】コネクタスペースの斜視図である。
【図１０】（ａ）はコネクタスペースの平面図、（ｂ）は同正面図である。
【図１１】図１のＰ−Ｐ線における拡大断面図である。
【図１２】図１１のＱ方向から見た矢視図である。
【図１３】第２の実施形態に係る遊技機用基板ケースの結合構造を示す断面図である。
【図１４】上記結合構造に用いる締結具の図３相当図である。
【図１５】上記締結具の第１の係合爪付近の拡大断面図である。
【図１６】第３の実施形態を示す図１３相当図である。
【図１７】第４の実施形態を示す図１３相当図である。
【図１８】別の実施形態を示す上ケースの保持部付近の一部切開側面図である。
【図１９】図１３のＲ−Ｒ線に沿って見た矢視図である。
【図２０】締結具の別の形態を示す正面図である。
【図２１】係止穴の別の形態を示す平面図である。
【符号の説明】
【００５６】
Ａ    遊技機用基板ケース
１，１０１    上ケース
２，１０２    下ケース
３    ケース本体（収容空間）
４    コネクタ
５    制御基板
６，１０３    取付プレート
１３，１０４    結合部
１３ａ，１０４ａ    底部
１４，１０５，１０６    締結具
２１，１１５，１６１    第１の係合爪
２２，１１２    ピン部
２３，１１３    頭部
２４，１１４    連結部
２４ａ，１１４ａ    脆弱部
２７，１１７    第２の係合爪
２８，１１８    第３の係合爪
３１    仮止め用係止凹部
３２，１２１    結合用係止凹部
３３，１２２    貫通孔
３５，３６，１２５    締結受け部
３７，４２，１２６，１６２    係止穴
５１    開口部
５８    コネクタスペース
１１５ａ  係合面
１２７，１４２    係止面
１３１，１４１    凹部
１３２，１４３    凸部
１５１    保持部
【図１】
2006150044.tif 000003
【図２】
2006150044.tif 000004
【図３】
2006150044.tif 000005
【図４】
2006150044.tif 000006
【図５】
2006150044.tif 000007
【図６】
2006150044.tif 000008
【図７】
2006150044.tif 000009
【図８】
2006150044.tif 000010
【図９】
2006150044.tif 000011
【図１０】
2006150044.tif 000012
【図１１】
2006150044.tif 000013
【図１２】
2006150044.tif 000014
【図１３】
2006150044.tif 000015
【図１４】
2006150044.tif 000016
【図１５】
2006150044.tif 000017
【図１６】
2006150044.tif 000018
【図１７】
2006150044.tif 000019
【図１８】
2006150044.tif 000020
【図１９】
2006150044.tif 000021
【図２０】
2006150044.tif 000022
【図２１】
2006150044.tif 000023